(57)【特許請求の範囲】
【請求項１】
音声信号を音声に変換して出力する音声出力装置において、
振動することで前記音声を出力する振動材と、
前記振動材に装着され、前記音声信号に基づいて、前記振動材を振動させる振動子と、
前記振動材に対応する形状を有し、前記振動材を着脱自在に固定するメインフレームと、
前記メインフレームの形状に応じた所定の位置に取り付けられ、前記振動材の共振点に応じて前記振動材を固定するサブフレームと
を備える音声出力装置。
【請求項２】
前記サブフレームは、前記振動子を背後から支える
請求項１の音声出力装置。
【請求項３】
前記メインフレームには、前記振動材を垂直方向に固定するための加重方向振動材支えと、前記振動材を水平方向に固定するための前後方向振動材支えとが固定されており、
前記メインフレームは、前記加重方向振動材支えと前記前後方向振動材支えによって、１または複数の前記振動材を垂直方向に並べて固定する
請求項１の音声出力装置。
【請求項４】
前記振動材の厚みに応じた、厚さの緩衝材をさらに備え、
前記メインフレームは、前記緩衝材とともに前記振動材を固定する
請求項１の音声出力装置。
【請求項５】
床面上を移動自在に前記メインフレームを支える車輪をさらに備える
請求項１の音声出力装置。
【請求項６】
前記メインフレームは、前記振動材が固定されている方向と垂直となる方向に、他の音声出力装置を固定する
請求項１の音声出力装置。
【請求項７】
天井に設けられたガイドに沿って移動自在に前記メインフレームを吊す車輪をさらに備える
請求項１の音声出力装置。
【請求項８】
前記メインフレームは、全体の高さを調節する調整材を固定する
請求項７の音声出力装置。
【請求項９】
前記メインフレームは、画像を表示させるスクリーンを固定する
請求項１の音声出力装置。
【請求項１０】
振動することで音声を出力する振動材と、前記振動材に装着され、音声信号に基づいて、前記振動材を振動させる振動子と、前記振動材に対応する形状を有し、前記振動材を着脱自在に固定するメインフレームと、前記メインフレームの形状に応じた所定の位置に取り付けられ、前記振動材の共振点に応じて前記振動材を固定するサブフレームとからなる壁で仕切られている部屋。
【請求項１１】
四方が前記壁で囲まれている
請求項１０の部屋。
【発明の詳細な説明】
【技術分野】
【０００１】
本発明は音声出力装置および部屋に関し、特に、音声を出力する音声出力装置および部屋に関する。
【背景技術】
【０００２】
スピーカの機能と同時に、部屋を仕切ったり、目隠ししたりする衝立としての役割も果たす衝立スピーカ装置が利用されている。
【０００３】
また、独立気泡の低発泡ポリエチレンを芯材とし、芯材の表裏にアルミニウムの面材を接合した、総厚が1.5（mm）乃至6.0（mm）のアルミニウムと低発泡ポリエチレンの積層複合板を振動材とし、振動材の表裏いずれか一方に、振動材に音響電気信号に応じて振動を与える振動付与部を固着した薄型フラットスピーカ装置もある（例えば、特許文献１）。
【０００４】
【特許文献１】特開２００４−６４７２６号公報
【発明の開示】
【発明が解決しようとする課題】
【０００５】
しかしながら、従来の衝立スピーカ装置は、衝立として利用することはできるが、衝立スピーカ装置を構成する部品を自由に組み替えることができないため、所望の形状で利用することができないという問題があった。
【０００６】
例えば、従来の衝立スピーカ装置では、ユーザにより自由に、衝立の壁材（振動材）を垂直または水平方向に複数枚並べたり、取り替えることや、壁材の厚みや形状を替えることは難しかった。そのため、従来の衝立スピーカ装置は、目隠しや防音としてだけの機能性のない衝立としての役割しか果たしていなかった。
【０００７】
また、スピーカとしての機能に注目した場合、振動理論によれば、振動するものを、あるものに当てると必ず音が鳴るが、例えば、振動するものを振動子、当てられるものを振動材としたとき、特開２００４−６４７２６号公報に開示されている薄型フラットスピーカ装置では、自立型フラットスピーカ装置における１枚の振動材に振動子を装着しており、音声を出力する際に、振動材１枚による振動特性しか得ることができず、広い周波数帯域の音声が出力されているとは言えなかった。
【０００８】
本発明はこのような状況に鑑みてなされたものであり、多くの自由度を持って振動材を配置して、広い周波数帯域の音声を出力できるようにするものである。
【課題を解決するための手段】
【０００９】
本発明の一の側面（第１の側面）の音声出力装置は、音声信号を音声に変換して出力する音声出力装置において、振動することで前記音声を出力する振動材と、前記振動材に装着され、前記音声信号に基づいて、前記振動材を振動させる振動子と、前記振動材に対応する形状を有し、前記振動材を着脱自在に固定するメインフレームと、前記メインフレームの形状に応じた所定の位置に取り付けられ、前記振動材の共振点に応じて前記振動材を固定するサブフレームとを備える。
【００１０】
前記サブフレームは、前記振動子を背後から支えることができる。
【００１１】
前記メインフレームには、前記振動材を垂直方向に固定するための加重方向振動材支えと、前記振動材を水平方向に固定するための前後方向振動材支えとが固定されており、前記メインフレームは、前記加重方向振動材支えと前記前後方向振動材支えによって、１または複数の前記振動材を垂直方向に並べて固定することができる。
【００１２】
前記振動材の厚みに応じた、厚さの緩衝材をさらに備え、前記メインフレームは、前記緩衝材とともに前記振動材を固定することができる。
【００１３】
床面上を移動自在に前記メインフレームを支える車輪をさらに備えることができる。
【００１４】
前記メインフレームは、前記振動材が固定されている方向と垂直となる方向に、他の音声出力装置を固定することができる。
【００１５】
天井に設けられたガイドに沿って移動自在に前記メインフレームを吊す車輪をさらに備えることができる。
【００１６】
前記メインフレームは、全体の高さを調節する調整材を固定することができる。
【００１７】
前記メインフレームは、画像を表示させるスクリーンを固定することができる。
【００１８】
本発明の一側面（第１の側面）の音声出力装置においては、振動することで前記音声を出力する振動材と、前記振動材に装着され、前記音声信号に基づいて、前記振動材を振動させる振動子と、前記振動材に対応する形状を有し、前記振動材を着脱自在に固定するメインフレームと、前記メインフレームの形状に応じた所定の位置に取り付けられ、前記振動材の共振点に応じて前記振動材を固定するサブフレームとが設けられる。
【００１９】
本発明の一側面（第２の側面）の部屋は、振動することで音声を出力する振動材と、前記振動材に装着され、音声信号に基づいて、前記振動材を振動させる振動子と、前記振動材に対応する形状を有し、前記振動材を着脱自在に固定するメインフレームと、前記メインフレームの形状に応じた所定の位置に取り付けられ、前記振動材の共振点に応じて前記振動材を固定するサブフレームとからなる壁で仕切られている。
【００２０】
四方が前記壁で囲まれているようにすることができる。
【００２１】
本発明の一側面（第２の側面）の部屋においては、振動することで音声を出力する振動材と、前記振動材に装着され、音声信号に基づいて、前記振動材を振動させる振動子と、前記振動材に対応する形状を有し、前記振動材を着脱自在に固定するメインフレームと、前記メインフレームの形状に応じた所定の位置に取り付けられ、前記振動材の共振点に応じて前記振動材を固定するサブフレームとからなる壁で仕切られている。
【発明の効果】
【００２２】
以上のように、本発明の一側面（第１の側面）によれば、多くの自由度を持って振動材を配置して、広い周波数帯域の音声を出力することができる。
【００２３】
また、本発明の一側面（第２の側面）によれば、多くの自由度を持って振動材による壁で仕切ることにより、広い周波数帯域の音声を出力することができる。
【発明を実施するための最良の形態】
【００３６】
以下、図面を参照しながら本発明の実施の形態について説明する。
【００３７】
図１は、本発明の一実施の形態の衝立スピーカ装置１１を示す図である。
【００３８】
衝立スピーカ装置１１は、スピーカの機能と同時に、衝立としての役割も果たす、本発明の音声出力装置の一例である。
【００３９】
衝立スピーカ装置１１は、ベース２１、車輪２２Ａ乃至２２Ｄ、装置支え２３Ａ乃至２３Ｄ、フレーム２４、加重方向振動材支え２５Ａおよび加重方向振動材支え２５Ｂ、前後方向振動材支え２６Ａ−１乃至２６Ｂ−３、振動材３１−１乃至３１−３、並びに振動子４１Ａ乃至４３Ｃを含むようにして構成される。
【００４０】
ベース２１は、例えば、鉄、アルミニウム、マグネシウム、またはチタニウムなどの金属など、フレーム２４を支える十分な強度を得ることのできる素材から形成される。ベース２１の下側には、その四隅に、車輪２２Ａ乃至２２Ｄ（車輪２２Ｄは図示せず）のそれぞれが設けられ、さらにその近傍に、装置支え２３Ａ乃至２３Ｄ（装置支え２３Ｃおよび装置支え２３Ｄは図示せず）のそれぞれが設けられている。例えば、部屋の中に設置された衝立スピーカ装置１１は、ユーザにより押された場合、車輪２２Ａ乃至２２Ｄのそれぞれが床面上を回転することにより、押された方向に移動する。また、装置支え２３Ａ乃至２３Ｄのそれぞれは、床面と接することにより、衝立スピーカ装置１１を支える。
【００４１】
すなわち、ユーザは、衝立スピーカ装置１１を所望の位置に移動させて設置することができる。
【００４２】
ベース２１の上側には、例えば、溶接により、フレーム２４が固定されており、フレーム２４は、ベース２１上に直立している。
【００４３】
また，詳細は後述するが、フレーム２４は、振動材３１−１乃至３１−３を加重のかかる方向（垂直方向）に固定するための、加重方向振動材支え２５Ａおよび加重方向振動材支え２５Ｂと、振動材３１−１乃至３１−３を図中前後方向に固定するための、前後方向振動材支え２６Ａ−１乃至２６Ｂ−３とを固定している。振動材３１−１乃至３１−３は、それらの支えにより着脱自在に固定されている。
【００４４】
すなわち、振動材３１−１は、加重方向が加重方向振動材支え２５Ａにより支えられ、前後方向が前後方向振動材支え２６Ａ−１および前後方向振動材支え２６Ｂ−１により支えられている。また、振動材３１−２は、振動材３１−１と同様に、加重方向が加重方向振動材支え２５Ｂ、並びに前後方向振動材支え２６Ａ−２および前後方向振動材支え２６Ｂ−２により支えられ、振動材３１−３は、フレーム２４の上側、並びに前後方向振動材支え２６Ａ−３および前後方向振動材支え２６Ｂ−３により支えられている。
【００４５】
このように、振動材３１−１乃至３１−３のそれぞれが、フレーム２４に沿って垂直方向に着脱自在に固定されることで、衝立スピーカ装置１１は、床面から所定の高さとなる衝立としての役割を果たす。
【００４６】
振動材３１−１乃至３１−３のそれぞれは、例えば、石膏ボード、MDF（Medium Density Fiberboard）などの木材、アルミプレート、カーボン、若しくはアクリルなどの樹脂、またはガラスなどの素材から板状に形成される。また、振動材３１−１乃至３１−３のそれぞれは、異なる素材を組み合わせた（積層させた）複合材料により形成するようにしてもよい。
【００４７】
また、振動材３１−１乃至３１−３の振動材には、それぞれ複数の振動子（図１では３つの振動子）が、図中横一列に取り付けられており、振動材３１−１には、振動子４１Ａ乃至４１Ｃ、振動材３１−２には、振動子４２Ａ乃至４２Ｃ、振動材３１−３には、振動子４３Ａ乃至４３Ｃが図中横一列にそれぞれ取り付けられている。
【００４８】
そして、例えば、アンプリファイアなどの音源（図示せず）に駆動された振動子４１Ａ乃至４３Ｃのそれぞれが、音源から入力されてくる音声信号に応じて、振動材３１−１乃至３１−３のそれぞれを振動させることで、振動材３１−１乃至３１−３のそれぞれは、音声を出力する。すなわち、衝立スピーカ装置１１は、音声信号を音声に変換するスピーカとしての役割を果たす。
【００４９】
また、振動子４１Ａ乃至４３Ｃのそれぞれは、振動材３１−１乃至３１−３のそれぞれの振動特性にしたがって、所定の位置に着脱自在に配置される。
【００５０】
なお、図１の例において、衝立スピーカ装置１１は、振動材３１−１乃至３１−３の３枚の振動材を固定しているが、本発明においては、振動材３１の数は３枚に限らず、１または複数枚、着脱自在に固定することができる。すなわち、ユーザは、振動材３１を垂直方向に自由に組み合わせることにより、衝立スピーカ装置１１を所望の高さにすることができる。
【００５１】
また、以下の説明においては、加重方向振動材支え２５Ａおよび加重方向振動材支え２５Ｂを個々に区別する必要がない場合、単に、加重方向振動材支え２５と称する。また、前後方向振動材支え２６Ａ−１乃至２６Ｂ−３を個々に区別する必要がない場合、単に、前後方向振動材支え２６と称し、前後方向振動材支え２６Ａ−１、前後方向振動材支え２６Ａ−２、および前後方向振動材支え２６Ａ−３を個々に区別する必要がない場合、単に、前後方向振動材支え２６Ａと称し、前後方向振動材支え２６Ｂ−１、前後方向振動材支え２６Ｂ−２、および前後方向振動材支え２６Ｂ−３を個々に区別する必要がない場合、単に、前後方向振動材支え２６Ｂと称する。
【００５２】
次に、図２を参照して、フレーム２４の詳細について説明する。図２の上側は、フレーム２４を図中正面から見たときの図を示し、図２の下側は、フレーム２４を図中上側から見たときの図を示す。すなわち、フレーム２４は、振動材３１−１乃至３１−３を固定する面の断面がコの字型の形状をしている。
【００５３】
フレーム２４は、図２の上側で示すように、メインフレーム５１Ａ乃至５１Ｆおよびサブフレーム５２Ａ乃至５２Ｆを含むようにして構成される。
【００５４】
メインフレーム５１Ａ乃至５１Ｆのそれぞれは、例えば、金属などの素材から形成され、メインフレーム５１Ｄとベース２１とが溶接により固定されることにより、フレーム２４がベース２１上で直立する。
【００５５】
また、メインフレーム５１Ａ乃至５１Ｆのそれぞれには、サブフレーム５２Ａ乃至５２Ｆのそれぞれを自由に配置できるように、所定の位置に長穴（または丸穴）が設けられており、それらの長穴は、メインフレーム５１Ａ乃至５１Ｆのそれぞれを等分割する所定の位置にそれぞれ設けられる。例えば、メインフレーム５１（メインフレーム５１Ａ乃至５１Ｆ）の一部を拡大して見た場合、メインフレーム５１には、図３の例で示すように、横長の長穴である長穴５３−１乃至５３−４のそれぞれが、所定の間隔で切られている。
【００５６】
すなわち、フレーム２４においては、図２に示すように、メインフレーム５１Ａ乃至５１Ｆのうち、水平方向（横方向）のメインフレーム５１Ａ乃至５１Ｄのそれぞれには、縦長の長穴が設けられ、垂直方向（縦方向）のメインフレーム５１Ｅおよびメインフレーム５１Ｆのそれぞれには、横長の長穴が設けられることになる。
【００５７】
メインフレーム５１Ｅおよびメインフレーム５１Ｆは、Ｌ字アングル材として形成され、直線型となるメインフレーム５１Ａ乃至５１Ｄのそれぞれと、例えば、溶接により固定される。例えば、フレーム２４においては、図４に示すように、直線型のメインフレーム５１Ａと、Ｌ字型のメインフレーム５１Ｅとが溶接により固定されることにより、図２の下側で示すように、その断面がコの字型の形状となる。
【００５８】
すなわち、詳細は後述するが、フレーム２４は、その断面がコの字型の形状をしているので、図中正面側からだけでなく、左右の側面側からも、メインフレーム５１Ｅおよびメインフレーム５１Ｆのそれぞれに設けられた長穴を利用することができる。
【００５９】
また、メインフレーム５１Ａ乃至５１Ｆには、それぞれに設けられた長穴に対して、例えば、ボルトまたはナットなどの留め具により、図５に示すような、サブフレーム５２（サブフレーム５２Ａ乃至５２Ｆ）のそれぞれを固定することができ、サブフレーム５２Ａ乃至５２Ｆのそれぞれは、留め具により、メインフレーム５１Ａ乃至５１Ｆのそれぞれに取り付けられている。
【００６０】
すなわち、ユーザは、留め具を外すことにより、メインフレーム５１Ａ乃至５１Ｆのそれぞれに取り付けられているサブフレーム５２Ａ乃至５２Ｆのいずれかを自由に取り外しすることができるとともに、留め具により、メインフレーム５１Ａ乃至５１Ｆのそれぞれに、例えば、新しいサブフレーム５２Ｇ（図示せず）を自由に取り付けることもできる。
【００６１】
サブフレーム５２Ａ乃至５２Ｆのそれぞれは、メインフレーム５１Ａ乃至５１Ｆのそれぞれに取り付けることにより、フレーム２４の強度を上げることはもちろん、振動材３１のサイズを変更する場合や、振動材３１の共振点に合わせて振動材３１を押さえる役割を果たして音の歪みを少なくさせる、すなわち、出力する音声の周波数の共振点を押さえることで音質を変えることが可能となる。また、サブフレーム５２Ａ乃至５２Ｆのそれぞれは、振動子４１Ａ乃至４３Ｃを背後から支えることにより、より確実に振動材３１−１乃至３１−３のそれぞれに振動を伝達させることも可能となる。
【００６２】
すなわち、サブフレーム５２Ａ乃至５２Ｆのそれぞれは、例えば、音声の共振点のピークを押さえたり、共振点の周波数をずらしたりするために設けられる。
【００６３】
このように、衝立スピーカ装置１１は、メインフレーム５１Ａ乃至５１Ｆのそれぞれに、サブフレーム５２Ａ乃至５２Ｆのそれぞれを取り付けることにより、周波数の低い音声から高い音声までを確実に出力することができる。
【００６４】
なお、以下の説明においては、メインフレーム５１Ａ乃至５１Ｆを個々に区別する必要がない場合、単に、メインフレーム５１と称し、サブフレーム５２Ａ乃至５２Ｆを個々に区別する必要がない場合、単に、サブフレーム５２と称する。
【００６５】
また、上述した例において、フレーム２４は、６本のメインフレーム５１Ａ乃至５１Ｆと、６本のサブフレーム５２Ａ乃至５２Ｆとから構成されるとして説明したが、本発明においては、任意の本数のメインフレーム５１およびサブフレーム５２を設けるとともに、それらのメインフレーム５１およびサブフレーム５２のそれぞれを任意の位置に配置することができる。
【００６６】
さらに、サブフレーム５２は、メインフレーム５１に対して、斜め方向に取り付けるようにしてもよい。また、サブフレーム５２は、その形状を直線状とせずに、例えば、Ｌ字型、Ｔ字型、またはＵ字型などの形状とするようにしてもよい。
【００６７】
次に、図６および図７を参照して、加重方向振動材支え２５の詳細について説明する。図６は、加重方向振動材支え２５をフレーム２４のメインフレーム５１に固定するときの斜視図を示し、図７は、図６を上側から見た場合の図を示す。
【００６８】
加重方向振動材支え２５は、例えば、金属などの素材から形成される。加重方向振動材支え２５は、図６に示すように、Ｌ字アングル材からなり、そのＬ字型アングル材には、メインフレーム５１に設けられている長穴に嵌めることが可能となるボルト６１Ａおよびボルト６１Ｂのそれぞれが設けられている。
【００６９】
フレーム２４は、図７に示すように、加重方向振動材支え２５のボルト６１Ａおよびボルト６１Ｂのそれぞれを、メインフレーム５１の所定の長穴に嵌め込ませて、嵌め込まれたボルト６１Ａおよびボルト６１Ｂを、それぞれ、ナット６２Ａおよびナット６２Ｂにより固定する。
【００７０】
すなわち、フレーム２４においては、Ｌ字アングル材である加重方向振動材支え２５に設けられているボルト６１Ａおよびボルト６１Ｂが、ナット６２Ａおよびナット６２Ｂにより、メインフレーム５１に固定され、加重方向（垂直方向）の振動材３１を支える。その結果、衝立スピーカ装置１１において、振動材３１は、加重方向振動材支え２５により加重方向に支えられているので、加重方向に落ちない構造となっている。
【００７１】
次に、図８乃至図１３を参照して、前後方向振動材支え２６の詳細について説明する。
【００７２】
前後方向振動材支え２６は、例えば、金属などの素材から形成される。前後方向振動材支え２６は、図８に示すように、コの字型の形状で形成され、フレーム２４に着脱自在に取り付けられる。
【００７３】
前後方向振動材支え２６は、図９乃至図１３に示すように、そのコの字型の形状を利用して、前後方向振動材支え２６Ａと前後方向振動材支え２６Ｂとにより振動材３１を挟み込むことで、挟み込んだ振動材３１を前後方向で支える。
【００７４】
図９乃至図１３は、衝立スピーカ装置１１を上側から見た場合の図を示す。
【００７５】
図９に示すように、前後方向振動材支え２６Ａおよび前後方向振動材支え２６Ｂのそれぞれには、例えば、フレーム２４（のメインフレーム５１）に設けられている長穴に嵌めることが可能となる所定の個数のボルト（図示せず）がそれぞれ設けられており、それらのボルトは、メインフレーム５１の長穴に嵌め込まれ、ボルトの個数に対応した個数のナット（図９の例ではナット７３Ａおよびナット７３Ｂ）により固定されている。
【００７６】
また、前後方向振動材支え２６Ａおよび前後方向振動材支え２６Ｂのそれぞれは、振動材３１を挟み込む場合、振動材３１とともに、振動材３１をさらに挟むようにして所定の形状の緩衝材（図９では、緩衝材７１Ａ、緩衝材７１Ｂ、緩衝材７２Ａ、および緩衝材７２Ｂ）も一緒に挟み込む。
【００７７】
緩衝材７１Ａ、緩衝材７１Ｂ、緩衝材７２Ａ、および緩衝材７２Ｂのそれぞれは、例えば、ウレタン（スポンジ）またはゴムなどの素材により形成され、その硬さは、所望の音質や音量に合わせて硬いものから柔らかいものまで調整することができる。緩衝材７１Ａおよび緩衝材７１Ｂのそれぞれは、振動材３１の前方に設けられ、緩衝材７２Ａおよび緩衝材７２Ｂのそれぞれは、振動材３１の後方に設けられて、振動材３１にかかる衝撃を吸収して保護している。
【００７８】
すなわち、緩衝材７１Ａ、緩衝材７１Ｂ、緩衝材７２Ａ、および緩衝材７２Ｂのそれぞれは、振動材３１またはフレーム２４などを緩衝させることにより、振動材３１による振動を行い易くし、音声を発生し易くしている。
【００７９】
また、衝立スピーカ装置１１において、振動材３１を取り外す場合、図１０の例に示すように、前後方向振動材支え２６Ａに設けられたボルト７４Ａからナット７３Ａを取り外し、自由に動かせるようになったボルト７４Ａを、メインフレーム５１の長穴に沿って水平方向にスライドさせることで、前後方向振動材支え２６Ａは、図中右側に移動する。また、同様に、前後方向振動材支え２６Ｂは、ボルト７４Ｂからナット７３Ｂを取り外して、メインフレーム５１の長穴に沿って水平方向にスライドさせることで、図中左側に移動する。
【００８０】
このとき、ユーザは、衝立スピーカ装置１１から振動材３１を外し易い状態となっているので、簡単に、振動材３１を取り外すことができる。
【００８１】
また、ユーザは、図１１に示すように、前後方向振動材支え２６Ａおよび前後方向振動材支え２６Ｂのそれぞれを水平方向にスライドさせるだけでなく、前後方向振動材支え２６Ａおよび前後方向振動材支え２６Ｂのいずれかを取り外してから、振動材３１を取り外すようにしてもよい。
【００８２】
このように、衝立スピーカ装置１１においては、振動材３１を自由に取り外すことができるので、ユーザは、振動材３１の厚み（奥行）を、所望の厚さに変更することが可能となる。
【００８３】
前後方向振動材支え２６Ａおよび前後方向振動材支え２６Ｂのそれぞれは、図１２に示すように、振動材３１よりも厚みのない振動材８１を使用する場合、緩衝材７２Ａおよび緩衝材７２Ｂのそれぞれよりも厚みのある緩衝材８２Ａおよび緩衝材８２Ｂを、振動材８１とともに挟み込むことで、振動材８１を固定する。
【００８４】
また、前後方向振動材支え２６Ａおよび前後方向振動材支え２６Ｂのそれぞれは、図１３に示すように、振動材８１よりもさらに厚みのない振動材９１を使用する場合、緩衝材８２Ａおよび緩衝材８２Ｂのそれぞれよりもさらに厚みのある緩衝材９２Ａおよび緩衝材９２Ｂを、振動材９１とともに挟み込むことで、振動材９１を固定する。
【００８５】
すなわち、振動材（例えば振動材３１）とともに設けられる緩衝材（例えば緩衝材７２Ａおよび緩衝材７２Ｂ）は、振動材の厚さ（奥行）に応じて、その厚さが調整される。その結果、ユーザは、所望の音質（の周波数特性）の音声が出力されるように振動材の厚さを自由に調節することができる。
【００８６】
なお、上述した例においては、前後方向振動材支え２６をフレーム２４に固定する場合、ボルトとナットとにより固定するとして説明したが、本発明においては、ナットとボルトにより固定する方法に限らず、前後方向振動材支え２６をフレーム２４に固定可能な方法であれば何れであってもよい。
【００８７】
また、上述した例においては、振動材３１を垂直方向に固定する例について説明したが、本発明においては、フレーム２４の構成を変更することにより、水平方向にも振動材３１を複数枚取り付けることが可能となる。
【００８８】
ところで、上述した例においては、振動材３１を垂直方向に組み合わせる場合について説明したが、本発明では、衝立スピーカ装置１１を水平方向に連結させることで、振動材３１を水平方向に組み合わせることも可能である。以下、図１４を参照して、衝立スピーカ装置１１を水平方向に連結させる場合について説明する。
【００８９】
図１４は、連結された衝立スピーカ装置１１−１と衝立スピーカ装置１１−２とを上側から見た場合の図を示す。
【００９０】
なお、図１４においては、説明を分かり易くするため、複数の衝立スピーカ装置１１を水平方向に連結する場合の一例として、衝立スピーカ装置１１（図１）と同様の機能と構成を備える、衝立スピーカ装置１１−１と衝立スピーカ装置１１−２との２台を水平方向に連結させる場合について説明する。したがって、図１に示す場合と同様の部分には、同一の符号が付してあり、その説明は（適宜）省略する。
【００９１】
フレーム２４−１およびフレーム２４−２において、垂直方向のメインフレームであるメインフレーム５１Ｅおよびメインフレーム５１Ｆのそれぞれは、図２および図４により説明したように、Ｌ字アングル材として形成されており、正面側からだけでなく、左右の側面側からも、メインフレーム５１Ｅおよびメインフレーム５１Ｆのそれぞれに設けられた長穴を利用することができる。
【００９２】
すなわち、フレーム２４−１およびフレーム２４−２のそれぞれは、振動板３１Ａおよび振動板３１Ｂのそれぞれを固定する面の断面が、コの字型の形状となるので、そのコの字型の形状を利用して、衝立スピーカ装置１１−１と衝立スピーカ装置１１−２とを水平方向に連結させる。
【００９３】
ジョイント部１０１は、例えば、ボルト１０１Ａおよびナット１０１Ｂにより、フレーム２４−１の図中左側の側面と、フレーム２４−２の図中右側の側面とを固定する。
【００９４】
より具体的には、ジョイント部１０１は、フレーム２４−１のＬ字型のメインフレーム５１Ｆと、フレーム２４−２のＬ字型のメインフレーム５１Ｅとのそれぞれを水平方向に並べたとき、Ｌ字型の形状となる面のうち、向き合っている面のそれぞれに設けられている長穴を、所定の個数のボルト１０１Ａとナット１０１Ｂとにより固定する。
【００９５】
このように、本発明においては、衝立スピーカ装置１１−１と衝立スピーカ装置１１−２とを水平方向に連結することができるので、より多くの自由度を持って、衝立スピーカ装置１１を設置して振動材３１を配置し、低い周波数の音（低音）から高い周波数の音（高音）までの広い周波数帯域の音声を出力することができる。
【００９６】
なお、図１４の例では、衝立スピーカ装置１１−１と衝立スピーカ装置１１−２との２台の装置を水平方向に連結させる場合について説明したが、本発明においては、３台以上の衝立スピーカ装置１１を水平方向に連結させる場合でも同様に連結させることができる。
【００９７】
また、本発明においては、衝立スピーカ装置１１を水平方向に連結させる場合、ジョイント部１０１に所定の角度のついた治具を、連結させる衝立スピーカ装置１１間に挟み込むことで、治具の角度に応じた、所定の角度をつけて衝立スピーカ装置１１をつなぎ合わせることが可能となる。
【００９８】
さらに、本発明においては、連結させた衝立スピーカ装置１１のそれぞれに設けられている振動材３１の素材を異なる素材とすることが可能である。例えば、本発明においては、衝立スピーカ装置１１−１に設けられた振動材３１−１を石膏ボードにより形成し、衝立スピーカ装置１１−２に設けられた振動材３１−２を木材により形成することが可能となる。
【００９９】
ところで、上述した例においては、衝立スピーカ装置１１は、床に接する面に設けられた車輪２２Ａ乃至２２Ｄおよび装置支え２３Ａ乃至２３Ｄのそれぞれにより、床面に直立しているが、衝立スピーカ装置１１を天井に設けられたガイドに嵌めて、そのガイドより支持することで、天井から吊すようにしてもよい。以下、図１５および図１６を参照して、衝立スピーカ装置１１を天井から吊す場合について説明する。
【０１００】
図１５は、本発明の一実施の他の形態の衝立スピーカ装置１１１を示す図である。
【０１０１】
図１５において、図１に示す場合と同様の部分には同一の符号を付してあり、その説明は省略する。すなわち、衝立スピーカ装置１１１は、図１の衝立スピーカ装置１１に設けられている、ベース２１、車輪２２Ａ乃至２２Ｄ、および装置支え２３Ａ乃至２３Ｄの代わりに、車輪１２１Ａおよび車輪１２１Ｂのそれぞれが設けられている。
【０１０２】
車輪１２１Ａおよび車輪１２１Ｂのそれぞれは、天井に設けられたガイド１３１に嵌め込むことが可能となる形状をしており、ガイド１３１に嵌め込まれることにより支持される。衝立スピーカ装置１１１は、車輪１２１Ａおよび車輪１２１Ｂのそれぞれが、ガイド１３１上をスライドすることにより、ガイド１３１に沿って移動する。
【０１０３】
このように、ユーザは、所望の位置に衝立スピーカ装置１１１を設置することができるので、より多くの自由度を持って、衝立スピーカ装置１１１を設置して振動材３１を配置し、低い周波数から高い周波数までの広い周波数帯域の音声を出力することができる。
【０１０４】
また、衝立スピーカ装置１１１は、天井に設けられたガイド１３１により支持されているので、図１のベース２１を設ける必要がなく、床面に直立している場合と比較して、少ないスペースでも設置することができる。
【０１０５】
なお、図１５の例では、説明を分かり易くするために、１台の衝立スピーカ装置１１１を一例にして説明したが、複数台設けるようにしてもよい。すなわち、本発明においては、２台以上の衝立スピーカ装置１１１の車輪１２１Ａおよび車輪１２１Ｂのそれぞれをガイド１３１に嵌め込んで、水平方向に連結させることもできる。
【０１０６】
また、室内の天井の高さによって要求される衝立スピーカ装置１１１の高さが異なることがあるが、衝立スピーカ装置１１１は、図１６の例で示すように、調整材１４１を設けることで、その高さを調節することができる。
【０１０７】
調整材１４１は、例えば、振動材３１と同様に、木材などの素材から形成される。調整材１４１は、上述した振動材３１と同様にして、衝立スピーカ装置１１１に固定される。例えば、調整材１４１と振動材３１とを同様の外観とすることで、ユーザは、調整材１４１と振動材３１との見分けがつかなくなり、違和感なく、衝立スピーカ装置１１１を使用することができる。
【０１０８】
このように、衝立スピーカ装置１１１は、調整材１４１を固定することで、高さを調節することができるので、衝立としての機能をより向上させることができる。
【０１０９】
ところで、本発明の衝立スピーカ装置１１は、部屋の壁となるように構成することもできる。すなわち、衝立スピーカ装置１１と同様の機能と構成を有する壁が設けられている部屋では、壁は、部屋を仕切る役割を果たすとともに、音声を出力させることができる。
【０１１０】
図１７は、複数の衝立スピーカ装置１１により壁を構成した部屋１５１を上側から見た場合の図を示す。
【０１１１】
部屋１５１において、その四方を囲む壁は、例えば、衝立スピーカ装置１１（図１）と同様の機能と構成を備える、壁１６１−１乃至１６１−１２により構成される。すなわち、図１７は、上側から見た場合の図であるので、水平方向に壁１６１−１乃至１６１−１２が連結されているように表現されているが、実際には、垂直方向にも振動板が連結されており、振動板および振動子のそれぞれの数は任意である。
【０１１２】
図１７の例では、部屋１５１は、壁１６１−１乃至１６１−３、壁１６１−４乃至１６１−６、壁１６１−７乃至１６１−９、および壁１６１−１０乃至１６１−１２の４つの面により構成されている。すなわち、部屋１５１の四方を囲む４つの面は、それぞれ３つの壁により構成される。部屋１５１は、本発明の部屋の一例である。
【０１１３】
壁１６１−１乃至１６１−１２のそれぞれは、衝立スピーカ装置１１と同様に、スピーカの機能と同時に、衝立（壁）としての役割も果たす。すなわち、壁１６１−１乃至１６１−１２のそれぞれは、衝立スピーカ装置１１と同様に、振動材を垂直方向に増やしたり、振動材の厚みを調節したりすることにより、多様な音声を出力させることができる。
【０１１４】
このように、部屋１５１は、より多くの自由度を持って、衝立スピーカ装置１１と同様の機能と構成を有する壁１６１−１乃至１６１−１２を設置して振動材を配置し、低い周波数から高い周波数までの広い周波数帯域の音声を出力させることができる。
【０１１５】
なお、図１７の例では、部屋１５１は、４つの面に囲まれているとして説明したが、本発明においては、４つの面に限らず、少なくとも１つの面が設けられていればよい。また、１つの面を３つの壁（例えば壁１６１−１乃至１６１−３）により構成されるとして説明したが、本発明においては、３つの壁に限らず、少なくとも１つの面に１つの壁（例えば壁１６１−１）が設けられていればよい。
【０１１６】
また、衝立スピーカ装置１１は、振動材３１の代わりに、例えば、所定の形状の壁材や、LCD（Liquid Crystal Display）などによる薄型のテレビジョン受像機などを固定することもできる。すなわち、ユーザは、予算や用途に合わせて、様々な形態で衝立スピーカ装置１１を使用することができる。
【０１１７】
図１８は、本発明の一実施のさらに他の形態の衝立スピーカ装置２１１を示す図である。
【０１１８】
図１８において、図１に示す場合と同様の部分には同一の符号を付してあり、その説明は省略する。すなわち、衝立スピーカ装置２１１は、図１の衝立スピーカ装置１１に設けられている、振動板３１−２の代わりに、スクリーン２２１が設けられている。
【０１１９】
衝立スピーカ装置２１１は、衝立スピーカ装置１１と同様に、振動板３１−１、スクリーン２２１、および振動板３１−３のそれぞれを固定する。
【０１２０】
スクリーン２２１は、例えば、樹脂などの半透明の素材や白色の生地などから形成され、プロジェクタ２３１から投影された画像を表示させる。また、図１８の例では、プロジェクタ２３１は、スクリーン２２１の背面から投影するリアプロジェクタとして説明しているが、スクリーン２２１の前面から投影するフロントプロジェクタとして画面を表示させるようにしてもよい。
【０１２１】
このとき、振動材３１−１および振動材３１−３のそれぞれからは、音声を出力させることができるので、スクリーン２２１に表示されている画像に合わせた音声を出力することができる。
【０１２２】
なお、衝立スピーカ装置２１１は、スクリーン２２１を半透明の素材により形成した場合、例えば、電気を通すと半透明（または透明）となる装置を利用することにより、スクリーン２２１に画像を映していないとき、その半透明となっているスクリーン２２１を通して、ユーザのいる位置と反対側の景色や部屋の反対側を見せるようにすることも可能となる。
【０１２３】
また、上述したように、衝立スピーカ装置２１１は、着脱自在に振動材３１やスクリーン２２１を固定することができるので、例えば、スクリーン２２１を垂直方向と水平方向のそれぞれに自由に組み合わせて、より大画面のスクリーンに画像を表示させ、振動材３１を垂直方向と水平方向のそれぞれに自由に組み合わせて、より広い周波数帯域の音声を出力させることもできる。
【０１２４】
以上のように、本発明によれば、多くの自由度を持って、柔軟に振動材を配置して、低い周波数から高い周波数までの広い周波数帯域における音声（ダイナミックレンジの広い音声）を出力できるとともに、音声の伝達効果を向上させることができる。
【０１２５】
また、本発明によれば、衝立スピーカ装置が、例えば、大きさ、材質、または厚みなどの異なる振動材を垂直方向に複数枚取り付けている構成となっているので、それぞれの振動材に振動子を取り付けた場合、１枚板の振動材である場合よりも振動材の振動特性において、得意な周波数帯域の音を組み合わせることが可能となるため音質が向上し、振動材の共振点を押さえるようにすることで、歪みのない音声を出力することができる。
【０１２６】
また、本発明によれば、衝立スピーカ装置を水平方向につなぎ合わせることができるので、それらの衝立スピーカ装置における振動材の材質を変更することにより、それぞれの衝立スピーカ装置における得意な周波数帯域の音を組み合わせることで、音質を向上させることができる。
【０１２７】
なお、上述した例においては、メインフレーム５１やサブフレーム５２などの各部材を固定する留め具として、ボルトとナットを一例にして説明したが、本発明はそれに限らず、各部材を固定できる方法であれば何れであってもよい。
【０１２８】
また、本発明においては、上述した留め具の一例であるボルトやナットが剥き出しにならないように、衝立スピーカ装置１１の背面に板などの目隠しを適宜取り付けることも可能である。
【０１２９】
さらに、本発明の実施の形態は、上述した実施の形態に限定されるものではなく、本発明の要旨を逸脱しない範囲において種々の変更が可能である。
【図面の簡単な説明】
【０１３０】
【図１】本発明の一実施の形態の衝立スピーカ装置を示す図である。
【図２】フレームの詳細について説明する図である。
【図３】メインフレームの形状を説明する図である。
【図４】Ｌ字アングル材を説明する図である。
【図５】サブフレームの形状を説明する図である。
【図６】加重方向振動材支えの詳細を説明する図である。
【図７】加重方向振動材支えの詳細を説明する図である。
【図８】前後方向振動材支えの形状を説明する図である。
【図９】前後方向振動材支えの詳細を説明する図である。
【図１０】前後方向振動材支えの詳細を説明する図である。
【図１１】前後方向振動材支えの詳細を説明する図である。
【図１２】前後方向振動材支えの詳細を説明する図である。
【図１３】前後方向振動材支えの詳細を説明する図である。
【図１４】衝立スピーカ装置を連結させる場合について説明する図である。
【図１５】本発明の一実施のさらに他の形態の衝立スピーカ装置を示す図である。
【図１６】調整材について説明する図である。
【図１７】衝立スピーカ装置により壁を構成した部屋について説明する図である。
【図１８】本発明の一実施のさらに他の形態の衝立スピーカ装置を示す図である。
【符号の説明】
【０１３１】
１１  衝立スピーカ装置，  ２１  ベース，  ２２Ａ乃至２２Ｄ  車輪，  ２３Ａ乃至２３Ｄ  装置支え，  ２４  フレーム，  ２５，２５Ａ，２５Ｂ  加重方向振動材支え，  ２６，２６Ａ，２６Ａ−１，２６Ａ−２，２６Ａ−３，２６Ｂ，２６Ｂ−１，２６Ｂ−２，２６Ｂ−３  前後方向振動材支え，  ３１，３１−１乃至３１−３，８１，９１  振動材，  ４１Ａ乃至４３Ｃ  振動子，  ５１Ａ乃至５１Ｆ  メインフレーム，  ５２Ａ乃至５２Ｆ  サブフレーム，  ５３−１乃至５３−４  長穴，  ６１Ａ，６１Ｂ，７４Ａ，７４Ｂ  ボルト，  ６２Ａ，６２Ｂ，７３Ａ，７３Ｂ  ナット，  ７１Ａ，７１Ｂ，７２Ａ，７２Ｂ，８２Ａ，８２Ｂ，９２Ａ，９２Ｂ  緩衝材，  １０１  ジョイント部，  １０１Ａ  ボルト，  １０１Ｂ  ナット，  １１１  衝立スピーカ装置，  １２１Ａ，１２１Ｂ  車輪，  １３１  ガイド，  １４１  調整材，  １５１  部屋，  １６１−１乃至１６１−１２  壁，  ２１１  衝立スピーカ装置，  ２２１  スクリーン
【図１】
0004747739.tif 000002
【図２】
0004747739.tif 000003
【図３】
0004747739.tif 000004
【図４】
0004747739.tif 000005
【図５】
0004747739.tif 000006
【図６】
0004747739.tif 000007
【図７】
0004747739.tif 000008
【図８】
0004747739.tif 000009
【図９】
0004747739.tif 000010
【図１０】
0004747739.tif 000011
【図１１】
0004747739.tif 000012
【図１２】
0004747739.tif 000013
【図１３】
0004747739.tif 000014
【図１４】
0004747739.tif 000015
【図１５】
0004747739.tif 000016
【図１６】
0004747739.tif 000017
【図１７】
0004747739.tif 000018
【図１８】
0004747739.tif 000019